Podtech/llm-jp-corpus-v4-ja_patent huggingface dataset:
(57)【要約】      （修正有）【課題】１．寝たきりの人など不自由な人がボックスティッシュを使用する際、使用時に床にボックスティッシュを落としてしまうと拾い上げることが困難である。２．花粉症の季節などボックスティッシュは手放せないものであるが、仕事中など机の上に置いておくと邪魔になる。３．運転中など目をそらせない状況においてティッシュを使用したいとき、手探りで探さなければならず危険である。などの課題があり、状況に応じた使い方ができるボックステッシュを提供する。【解決手段】紙製の外箱の底部分にミシン目と実線の切り込み設け、使用時にミシン目から切り離せる吊り下げタブを構成する。【選択図】図１
2005219809.tif 000002
【特許請求の範囲】
【請求項１】
紙製の外箱の底部分にミシン目と実線の切り込みの形状を設けることにより、使用時に指でミシン目を切りながら手前に引き上げることで、フック等に掛けることができるようなタブ部分ができることを特徴とする外箱。特に有効とおもわれる例としてボックスティッシュをあげて説明する。
【発明の詳細な説明】
【技術分野】
【０００１】  この発明は、紙製の外箱のミシン目と実線の切り込みの形状に関するものである。
【背景技術】
【０００２】  従来のボックスティッシュは床置きであり、フックに掛けたり、紐等を通すためのタブはない。
【発明の開示】
【発明が解決しようとする課題】
【０００３】  そこで、この発明は、従来のボックスティッシュの外箱を利用してタブを作ることを提供することを課題とする。
【課題を解決するための手段】
【０００４】  以上の課題を解決するために、第一発明は、ボックスティッシュ等の紙製の外箱の底部分にミシン目と実線の切り込みを設けることにより、使用時にタブを作りだすことができたことで、フック等に掛けたり、穴に紐等を通すことで使用の便利さが拡大することができるようになることを特徴とする紙製の外箱である。
【発明の効果】
【０００５】  従来の紙製の外箱は床置きであり固定することができないが、第一発明によれば、タブを作り出すことにより、位置を固定することが容易になりやすい。
【発明を実施するための最良の形態】
【０００６】  この発明の一実施形態を図１に示す。ボックステッシュの外箱の従来品に、製造過程において、その箱の底面となる部分にタブとなる為のミシン目と実線の切り込み線をつける。タブには、直径５ｍｍ程の穴を作るための切り込みをいれる。このタブは、縦横辺の二箇所設けることとし、それぞれの中心の位置にタブの位置を合わせて、使いやすい大きさとする。
【実地形態の効果】
【０００７】  この実施形態によれば、用途に応じて、まずこの発明されたタブを利用するかどうか選択した後、縦型あるいは横型か選択し、実線の切り込みに指を入れてミシン目を手前に引きながら切り取れば、タブを作ることができる。そしてフックに掛けたり、紐等通して物に縛り付けたり等とすることにより位置の固定がしやすくできる。
【他の実地形態】
【０００８】このタブは他の紙製ボックス商品に応用できる。
ボックスタオル、ラップ、アルミホイル等
【図面の簡単な説明】
【０００９】紙箱の底面を形成する縦辺と横辺の中心にそれぞれタブとなる部分の中心を合わせて切り込みと、ミシン目をいれる。切り込みに指を掛けて引き起こすことでタブを作る。タブ部には穴を形成するための実線の切り込み（この穴は最初からあいているのではなく１〜２箇所が本体と接続しており使用時になんらかの力で穴が開くこととする。）が付いており、その穴をフックに掛けたり紐を通したりできる仕組みになっている。
【符号の説明】
【００１０】    １  ボックステッシュの外箱の底面
２  ミシン目
３  実線の切り込み線
４  辺の中心
５  正面から見た使用例
【図１】
2005219809.tif 000003
【図２】
2005219809.tif 000004
【手続補正書】
【提出日】平成16年5月8日(2004.5.8)
【手続補正２】
【補正対象書類名】明細書
【補正対象項目名】０００９
【補正方法】変更
【補正の内容】
【０００９】
【図１】本発明の平面図である。
【図２】本発明を縦型で使用するときの底部分からの斜視図である。
【符号の説明】
１．直方体の紙箱の底面の外観
２．タブを作るための実線の切り込み線とミシン目（本発明）
３．穴を作るための切り込み線（本発明）
2005219809.tif 000005
2005219809.tif 000006
【手続補正書】
【提出日】平成16年7月20日(2004.7.20)
【手続補正１】
【補正対象書類名】手続補正書
【補正対象項目名】手続補正２
【補正方法】変更
【補正の内容】
【手続補正２】
【補正対象書類名】明細書
【補正対象項目名】０００９
【補正方法】変更
【補正の内容】
【０００９】
【図１】本発明の平面図である。
【図２】本発明を縦型で使用するときの底部分からの斜視図である。
【手続補正２】
【補正対象書類名】手続補正書
【補正対象項目名】手続補正３
【補正方法】追加
【補正の内容】
【手続補正３】
【補正対象書類名】明細書
【補正対象項目名】００１０
【補正方法】変更
【補正の内容】
【００１０】      １．直方体の紙箱の底面の外観
２．タブを作るための実線の切り込み線とミシン目（本発明）
３．穴を作るための切り込み線（本発明）


【手続補正３】
【補正対象書類名】手続補正書
【補正対象項目名】手続補正４
【補正方法】追加
【補正の内容】
【手続補正４】
【補正対象書類名】図面
【補正対象項目名】全図
【補正方法】変更
【補正の内容】
【図１】
2005219809.tif 000007
【図２】
2005219809.tif 000008
(57)【要約】      （修正有）【課題】古新聞又は古い広告その他の紙のごみ等をきれいに片付けることが出来、また、古紙回収の際にすぐに結束して出すことができる古新聞収納兼結束用箱の提供。【解決手段】古新聞収納兼結束用箱と古新聞結束用紐３から構成され、古新聞を古新聞収納兼結束用箱に一杯になるまで収納し収納した古新聞を古新聞結束用紐３で古新聞収納兼結束用箱に入った状態のままで結束して取り出す為の装置。【選択図】図４
2005219807.tif 000002
【特許請求の範囲】
【請求項１】
古新聞を収納し収納した状態で結束する為の箱
【発明の詳細な説明】
【発明の詳細な説明】
【産業上の利用分野】
【０００１】この装置は古新聞を箱の中に収納し収納した状態のまま古新聞を結束して取出す為の装置
【背景技術】
【０００２】従来の古新聞を収納する為の箱又は袋は古新聞を収納するだけで箱又は袋が満杯になると取り出して結束しなければならなかった。又納戸や押入れ等にそのまま積み上げて保管しても時々崩れたりして保管が面倒であった。
【発明が解決しようとする課題】
【０００３】この発明は古新聞を整理して保管すると共に古新聞が箱に一杯になった時に箱に入った状態で簡単に古新聞を結束し結束した状態で取り出す事が出来る古新聞収納箱である。
【課題を解決するための手段】
【０００４】この発明の構造を説明すると〔図１〕と〔図２〕に於いては▲１▼（古新聞収納兼結束用箱）に▲３▼（古新聞結束用紐）を▲２▼（結束用紐固定点）から▲Ａ▼→▲Ｂ▼→▲Ｃ▼→▲Ｄ▼→▲Ｅ▼→▲Ｆ▼→▲Ｇ▼→▲Ｈ▼→▲Ｉ▼→▲Ｊ▼→▲Ａ▼→▲２▼へ通してこの中へ古新聞紙を入れていき▲１▼（古新聞収納兼結束用箱）が一杯になった時〔図３〕の状態になる。この状態で〔図４〕で示す様に▲Ｋ▼（古新聞結束用紐の各先端）を▲２▼（結束用紐固定点）から外す又▲Ｆ▼（結束用紐の固定点）から▲３▼（古新聞結束用紐）を外し▲Ｆ▼（結束用紐の固定点）から外した紐の下に▲２▼（結束用紐固定点）から外した▲Ｋ▼（古新聞結束用紐の各先端）を入れ▲Ｋ▼（古新聞結束用紐の各先端）を上に引き上げると▲４▼（古新聞紙の束）が結束される為▲Ｋ▼（古新聞結束用紐の各先端）を▲３▼（古新聞結束用紐）の下へ通して結束して▲１▼（古新聞収納兼結束用箱）から▲４▼（古新聞紙の束）を取り出す。
【作用】
【０００５】この古新聞収納兼結束用箱を設置する事により家庭内の古新聞又は古い広告その他の紙のごみ等をきれいに片づける事が出来。そして古新聞のリサイクル用の回収にすぐに出す事が出来る。
【実施例】
【０００６】図１の様な箱を（木又はプラスチック等で）作りその箱に紐（ビニール又は麻紐その他の紐等）を通してその中に（古新聞又は広告その他紙のごみ等）を入れ箱が一杯になった時紐で結束して取り出し結束したまま保管するか、リサイクルとして出す。箱の大きさは中に入れる紙の大きさによって決定される。一般的にはＡ４サイズの大きさが取扱上便利である。
【発明の効果】
【０００７】この発明は家庭内の紙を集めて一般の焼却用のごみを少なくしてリサイクル用のごみに多く出すことが出来る。又紙を箱の中に納めて集めるので外にこぼれ出す事がなくきれいに紙を片づける事が出来る。
【図面の簡単な説明】
【図１】古新聞収納兼結束用箱の平面図と側面図
【図２】古新聞収納兼結束用箱の立体図
【図３】古新聞収納兼結束用箱の中から古新聞紙と古新聞結束用紐を残して古新聞収納兼結束用箱を消した時の状態を示す
【図４】古新聞収納兼結束用箱の中から古新聞紙と古新聞結束用紐を残して古新聞収納兼結束用箱を消した時の状態で古新聞結束用紐で古新聞紙の束を結束する時の状態を示す
【符号の説明】
▲１▼  古新聞収納兼結束用箱▲２▼  （●印）結束用紐固定点▲３▼  （太い実線と太い点線）古新聞結束用紐▲４▼  古新聞紙の束▲Ａ▼▲Ｂ▼▲Ｃ▼▲Ｄ▼▲Ｅ▼▲Ｆ▼▲Ｇ▼▲Ｈ▼▲Ｉ▼▲Ｊ▼  結束用紐の各固定点▲Ｋ▼  古新聞結束用紐の各先端
【図１】
2005219807.tif 000003
【図２】
2005219807.tif 000004
【図３】
2005219807.tif 000005
【図４】
2005219807.tif 000006
(57)【要約】      （修正有）【課題】使い捨てライターのリサイクル処理において、残渣ガスの発火の危険を防ぎ安全確実に破砕、分別、残渣ガスの回収処理を可能にする自動装置を提供する。【解決手段】リサイクルの一連の工程を水中で稼動させる事によって破砕時発火を防ぎガス回収も用益に出来る。又、廃ライターの破砕機の投入方式はホッパーに大量に入っていても一定量の投入量に成るようにスライド投入機の幅によって調整する。破砕後残渣ガスは水中に放出、水面上部のガス溜り空間に気化しファンにて吸引され種火によって燃焼分解される。破砕プラスチックは比重によって水面上部に浮上し、プラスチック回収ボックスによって回収される。又、金属は沈下し底部に設けられている磁気搬送ベルトコンベヤーに吸着しコンベヤーの回転移動によって破砕機外部に設けられている金属回収部に集められ回収される。【選択図】図１
2005219035.tif 000002
【特許請求の範囲】
【請求項１】
使い捨てライターを一定量破砕機に投入する自動ホッパーと搬送コンベヤーベルト装置。
【請求項２】
使い捨てライターを水中又は蒸気噴霧内において破砕する破砕装置。
【請求項３】
使い捨てライターの残渣ガスを回収するガス回収装置。
【請求項４】
使い捨てライターの回収ガスを燃焼分解する燃焼装置。
【請求項５】
使い捨てライターの破砕後の金属を回収する搬送磁気コンベヤーベルト装置。
【請求項６】
使い捨てライターの破砕後のプラスチックを回収する回収ボックス装置。
【発明の詳細な説明】
【産業上の利用分野】
【０００１】本発明は一般的に普及している使い捨てライターの使用後の回収を目的とし、爆発の危険もなく安全に破砕、分別、ガス回収を用益にしリサイクルの促進を促がす自動装置。
【背景技術】
【０００２】従来使い捨てライターは一般ごみとして処理されているが、本来引火性ガスが封入されており、使用後残渣ガスが残っている物などが多く極めて危険であり輸送途中の発火事故等が数多くあり、大量に処理できない事と、焼却すると炉内において爆発等が有り焼却炉の破損又埋め立て場においての自然発火等色々の問題がある。
【発明が解決しようとする課題】
【０００３】増加する使い捨てライターの需要と、それに比例して廃棄物の量が増大している、この廃棄物の処理を安全に破砕し金属とプラスチックに分け又残渣ガスの回収とプラスチックと金属を分別リサイクルする装置。
【０００４】そこで本発明の目的は一定量破砕機に投入する装置により投入し、廃ライターを水中において破砕する、噴出するガスをファンにて強制的に吸引し燃焼分解する、又破砕されたプラスチックと金属は比重により分別し回収箱により回収される、金属部分は本破砕機の底に配置されている磁気ベルトコンベヤーの回転によって運ばれ金属だけを回収する、この装置によって使い捨てライターの破砕時発火の危険もなく安全に破砕分別できる。
【課題を解決するための手段】
【０００５】前記目的を達成して課題を達成するため，本発明に係る使い捨てライター破砕、分別、ガス回収自動装置はホッパー部分に一定量の廃ライターを破砕機に投入できるスライド装置を設けホッパーに入れられている廃ライターが過不足なく投入出来る。
【０００６】投入された廃ライターは搬送コンベヤーにより水中に引き入れられ水中の回転破砕刃の前面に設けられているブレードに拠って破砕刃に導かれ破砕される、破砕されると同時に残渣ガスが水中に放出され破砕機上部の空間に設けられているガス吸引装置により吸引、引火性ガスは吸引ノズルを通り発火装置の種火によって燃焼分解される。
【０００７】燃焼装置は銅のメッシュ球の内部に有り炎がメッシュ球の外部に噴出す事は無い。
【０００８】破砕されたプラスチックと金属は比重により分離され、金属は破砕機底部に設けられている磁気コンベヤーベルトによって搬送回収される、破砕後のプラスチックは水面に浮かび回収ボックスにて回収される。
【実施例】
【０００９】以下，添付図面に基づいて本発明の実施例を説明する。
図１は，本発明に係る使い捨てライターの破砕、分別、ガス回収装置の一例を示し物である。この使い捨てライター破砕、分別、ガス回収自動装置は金属又は樹脂等で形成し２の廃ライターを３のホッパーに入れる。３のホッパーには下からせり上がる投入ダンパー５が２の廃ライターを５のダンパーの巾分だけ乗せせり上がる、投入口まで上がったダンパー５は乗せている２を投入口に落下させる。【００１０】４０の水面上に投入された廃ライター２は１５の搬送コンベヤーベルトに付いている１７の爪により本機底部まで搬送され水中に放出される。３３、３４のダンパーによって３５、３８の破砕刃に導かれ破砕される。【００１１】破砕刃３０，３２，３５，３８は浮き上がってくる２の廃ライターを巻き込み破砕する、２は破砕されると同時に残渣ガスを４０の水中に放出し４０の水面上部に設けられている空間に滞留する。【００１２】空間に滞留したガスを５０の吸引ファンによって６０のガス吸引パイプを通り吸引されたガスを６３の種火によって発火し６５の銅メッシュ球内部で燃焼分解される。【００１３】破砕された２の廃ライターは３０，３２，３５，３８の破砕刃によりプラスチックと金属に破砕されプラスチックは比重によって４０の水面に浮がび４５のプラスチック回収ボックスによって回収される。【００１４】又金属は４０の水中に沈降し３２の磁気ベルト上に乗る。３２は２の金属を磁気力によって２３のベルト上に固定し、２３の回転移動により４０の水中から２０の金属回収位置まで移動し回収される。
【発明の効果】
【００１５】以上、説明したように本発明に係る使い捨てライター破砕、分別、ガス回収自動装置は一連の工程がすべて水中において完結し発火の危険又環境への弊害も無く、安全確実に使い捨てライターのリサイクル処理が可能である。又、残渣ガスに関しては焼却分解を銅のメッシュ球内部で燃焼させる事により、炎が球体外部に噴出する事は無く付近に引火性の分質が有っても、着火延焼することは無い。
【図面の簡単な説明】
【図１】本発明に係る使い捨てライター破砕、分別、ガス回収自動装置の一例を示す透視斜視図である。
【図２】本発明に係る使い捨てライター破砕、分別、ガス回収自動装置の一例を示す断面展開図である。
【符号の説明】
１    自動装置本体
２    使い捨てライター
３    ホッパー
５    スライド投入機
１５  投入コンベヤーベルト
１７  投入コンベヤーベルト爪
２０  金属回収部ローター
２３  金属回収磁気ベルト
３０  ３２  ３５  ３８  回転破砕刃
３３  ３４  導入ブレード
４０  水
４５  プラスチック回収ボックス
５０  ガス吸引モーターファン
６０  ガス吸引パイプ
６３  種火着火装置
６５  銅メッシュ球
【図１】
2005219035.tif 000003
【図２】
2005219035.tif 000004
(57)【要約】【課題】  ガンブラケットの長さを短くすると共にその負担を少なくすることによって、ガンブラケットを小型で軽量化して、ロボットによるＣ型スポット溶接ガンの操作が容易にできるようなＣ型スポット溶接ガン構造を提供する。【解決手段】  電動モ―タ３により駆動されるＣ型スポット溶接ガン１において、電動モ―タによって駆動される可動ア―ム５の駆動部本体４と電動モ―タとを同一軸線上に配置し、溶接用トランス１０をＣ型溶接ガンの本体に取付け、前記電動モ―タの後部カバ―１１にガンブラケット８の一端側を接続し、該ガンブラケットの他端側をロボットの手首に連結したＣ型スポット溶接ガン構造。【選択図】        図１
2005219073.tif 000002
【特許請求の範囲】
【請求項１】
電動モ―タにより駆動されるＣ型スポット溶接ガンにおいて、電動モ―タによって駆動される可動ア―ムの駆動部本体と電動モ―タとを同一軸線上に配置し、溶接用トランスをＣ型溶接ガンの本体に取付け、前記電動モ―タの後部カバ―にガンブラケットの一端側を接続し、該ガンブラケットの他端側をロボットの手首に連結したことを特徴とするＣ型スポット溶接ガン構造。
【発明の詳細な説明】
【技術分野】
【０００１】
本発明は、電動モ―タにより駆動されるＣ型スポット溶接ガンに関し、特に該溶接ガンとロボットとの接続用ガンブラケットに関するものである。
【背景技術】
【０００２】
従来、電動モ―タにより駆動されるＣ型スポット溶接ガンにおいて、ロボットにより溶接ガンを保持するガンブラケットは、その一端側が溶接ガンの固定ア―ムまたは駆動部本体に接続されていると共に該ガンブラケットにより溶接用トランスを保持するようになっていたものがある（例えば、特許文献１参照。）。
【０００３】
【特許文献１】実用新案登録第３０４３３０５号公報。
【発明の開示】
【発明が解決しようとする課題】
【０００４】
ところで前記従来技術では、ガンブラケットがロボットの手首と溶接ガンの固定ア―ムまたは駆動部本体との間に配置されていることからガンブラケットの長さが長くなると共に該ガンブラケットが溶接用トランスを保持するための強度を必要とすることから、ガンブラケットが大型化され、その分ロボットの重量負担を大きくする、という問題がある。
【０００５】
本発明は、従来の技術の有するこのような問題点に鑑みてなされたものであり、その目的とするところは、ガンブラケットの長さを短くすると共にその負担を少なくすることによって、ガンブラケットを小型で軽量化して、ロボットによるＣ型スポット溶接ガンの操作が容易にできるようなＣ型スポット溶接ガン構造を提供しようとするものである。
【課題を解決するための手段】
【０００６】
上記目的を達成するために、本発明におけるＣ型スポット溶接ガンは、電動モ―タによって駆動される可動ア―ムの駆動部本体と電動モ―タとを同一軸線上に配置し、溶接用トランスをＣ型溶接ガンの本体に取付け、前記電動モ―タの後部カバ―にガンブラケットの一端側を接続し、該ガンブラケットの他端側をロボットの手首に連結したことを特徴とするものである。
【発明の効果】
【０００７】
本発明においては、溶接用トランスをＣ型溶接ガンの本体に取付けてガンブラケットの重量負担を軽減し、さらに電動モ―タの後部カバ―にガンブラケットの一端側を接続し、該ガンブラケットの他端側をロボットの手首に連結することによってガンブラケットの全長を短く構成してガンブラケットの小型化が図られ、ロボットによるＣ型スポット溶接ガンの操作が容易にできるものとなる。
【発明を実施するための最良の形態】
【０００８】
図１，図２は本発明に係る実施例のＣ型スポット溶接ガンに関するものであり、図１は本発明に係るＣ型スポット溶接ガンの正面図、図２はその要部の平面図である。
【０００９】
図において、１はＣ型スポット溶接ガンであり、該溶接ガン１は概略，固定ア―ム２と、電動モ―タ３と、該電動モ―タ３によって駆動される例えばボ―ルねじとボ―ルナットからなる駆動部本体４と、該駆動部本体４によって往復動される可動ア―ム５と、両電極６，７と、ロボット（図示せず）に接続され溶接ガン１を保持するガンブラケット８と、前記固定ア―ム２と駆動部本体４とを接続するヨ―ク９に固定された溶接用トランス１０とで構成されている。なお、前記溶接用トランス１０は駆動部本体４に直接に固定されてもよく、ガンブラケット８を除くガン本体のいずれの箇所に固定してもよい。
【００１０】
そして、前記ガンブラケット８は、その一端側が前記電動モ―タ３の後部のモ―タカバ―１１に接続され、他端側はロボットの手首側（図示せず）に接続されている。
【００１１】
なお、１２は可動ア―ム５の回り止め機構である。
【００１２】
以上のような構成からなるＣ型スポット溶接ガンでは、溶接用トランス１０がＣ型固定ア―ム２側又は前記駆動部本体４等のガン本体に取付けられていることから、ガンブラケット８に掛かる重量の負担が軽減され、さらに電動モ―タ３の後部カバ―１１にガンブラケット８の一端側が接続され、該ガンブラケット８の他端側はロボットの手首に連結されることによって、ガンブラケットの全長が短く構成されてガンブラケット８の剛性が増すと共にガンブラケット８の小型化が図られ、ロボットによるＣ型スポット溶接ガン１の操作が容易にできるものとなる。
【図面の簡単な説明】
【００１３】
【図１】図１は本発明に係るＣ型スポット溶接ガンの正面図である。
【図２】図２はその要部の平面図である。
【符号の説明】
【００１４】
１                        溶接ガン
２                        固定ア―ム
３                        電動モ―タ
４                        駆動部本体
５                        可動ア―ム
８                        ガンブラケット
１１                      電動モ―タの後部カバ―
【図１】
2005219073.tif 000003
【図２】
2005219073.tif 000004
(57)【要約】【目的】  本発明は大型荷物と小型荷物を同時に無駄なく収納でき、収納した荷物の落下・転がり・置引き・ひったくり等を予防でき、また、傘や杖などの長い荷物も体裁良く安全に収納できるための手段に関するものである。【構成】  後ろカゴ１の前後で向き合う側壁１Ａと側壁１Ｂのうち一方の側壁１Ａが他方の側壁１Ｂの幅より広く、かつ、底面が一方の側壁１Ａ側が他方の側壁１Ｂ側よりも広くなっている後ろカゴに、側壁上端部に傘固定用の支持金具２とフック３を回転可能に設け、底面に傘固定用の開口孔４を設けた二輪車用の後ろカゴを二輪車に取付ける。【選択図】    図７
2005219723.tif 000002
【特許請求の範囲】
【請求項１】
後ろカゴ１の前後で向き合う側壁１Ａと側壁１Ｂのうち一方の側壁１Ａが他方の側壁１Ｂの幅より広く、かつ、底面が一方の側壁１Ａ側を他方の側壁１Ｂ側よりも広くした形状である二輪車用の後ろカゴ。
【請求項２】
後ろカゴ１の側壁上端部に傘固定用の支持具２を回転可能に設けた請求項１の二輪車用の後ろカゴ。
【請求項３】
傘固定用の支持具２にフック３を付設した請求項２の二輪車用の後ろカゴ。
【請求項４】
後ろカゴ１の底に傘固定用の開口孔４を設けた請求項１、２、３の二輪車用の後ろカゴ。
【発明の詳細な説明】
【発明の詳細な説明】
【技術分野】
【０００１】  本発明は大型荷物と小型荷物を同時に無駄なく収納でき、支持具によって荷物の落下・転がり・置引き・ひったくり等を予防でき、また、支持具と開口孔の使用で傘や杖・長尺物などを体裁良く安全に収納できる二輪車の後ろカゴに関するものである。
【背景技術】
【０００２】  従来の二輪車の後ろカゴは、例えば大型荷物や大包みのトイレットペーパーを収納すると、〔図５〕のように荷物と側壁との間に無駄な隙間が残り、他の荷物が収納できなくなってしまう。また、収納した荷物がカゴから落下したり、荷物が底で転がったり、置引きやひったくりにあうこともあった。それに、荷物以外の傘や杖など長い物は収納できなかった。
【発明が解決しようとする課題】
【０００３】  したがって各メーカーも、後ろカゴのサイズをなんとか大きくして荷物がたくさん収納できないかと試みたが、走行、駐輪に支障があり、体裁も悪いため、他に名案がでてこなかった。また、他の機能を付設することにも気が付かなかった。本発明は、これらの点を改善するために開発されたものである。
【課題を解決するための手段】
【０００４】  いま、その構成〔図１〕を説明すると、
（イ）  後ろカゴ１の前後で向き合う側壁１Ａと、側壁１Ｂのうち一方の側壁１Ａが他方の側壁１Ｂの幅より広く、かつ、底面が一方の側壁１Ａ側を他方の側壁１Ｂ側よりも広くした形状にする。
（ロ）  後ろカゴ１の側壁上端部に傘固定用の支持具２を回転可能に設ける。
（ハ）  傘固定用の支持具２にフック３を付設する。
（ニ）  後ろカゴ１の底に傘固定用の開口孔４を設ける。
以上のように構成する。
【発明を実施するための最良の形態】
【０００５】  この発明の実施の形態を〔図６〕で説明すると、例えば大包みのトイレットペーパーを収納するとき、側壁１Ａ側に横向きに収納すると側壁１Ｂ側にまとまった空間ができるので、そこへ他の荷物が無駄なく収納できる。また、フック３に荷物を引っ掛けることにより、荷物が落下したり、転がったり、置引きやひったくりを予防できる。支持具２には、傘や杖・長尺物などを上から差込んで底の開口孔４まで通すことにより、安全に収納することができるようになった。
【実施例】
【０００６】  なお、本発明の実施にあたって次のようなことができる。
（イ）  後ろカゴ１の前後で向き合う側壁１Ａと側壁１Ｂのうち一方の側壁１Ａが他方の側壁１Ｂの幅より広く、かつ、底面が一方の側壁１Ａ側を他方の側壁１Ｂ側よりも広くした形状である二輪車用の後ろカゴ。
（ロ）  （イ）の後ろカゴ１の側壁上端部に傘固定用の支持具２を回転可能に設ける。
（ハ）  （ロ）の後ろカゴ１に傘固定用の支持具２にフック３を付設する。
（ニ）  （ロ）と（ハ）の後ろカゴ１の底に傘固定用の開口孔４を設ける。
なお、傘収納のための傘固定用支持具２の取付け位置と開口孔４は傘を収納するのに支障のない位置であればどの位置にあってもよい。
また、上記実施例（ニ）の傘固定用の開口孔４には蓋が取付けていないが物が落ちないように可動式や填め込み式の蓋を取付けでもよい。
2005219723.tif 000003
ような台形や長方形・楕円形の形状になっていてもよい。
本発明の図面の説明はメッシュカゴになっているが、ワイヤーカゴや合成樹脂カゴでもよい。
本発明の実施例〔図９〕では自転車に取付けているが、原動機付き二輪車に取付けてもよい。
【発明の効果】
【０００７】  したがって、本発明の後ろカゴは、〔図６〕のように、側壁１Ａの幅が広くなったため、まとまった空間ができるので、大型荷物と小型荷物が同時に整理して収納できる。幅を広くしたことにより、傘や杖などの長い荷物を差し込んでも荷台に接触しないので安全に収納できるようになった。また、付設したフック３を使用すると荷物が落下したり、転がったり、置引きやひったくりを予防することができる。
【図面の簡単な説明】
【図１】  本発明の平面図
【図２】  本発明の側面図
【図３】  本発明の側面図（１Ａ）
【図４】  本発明の側面図（１Ｂ）
【図５】  従来の平面略図（物品収納例）
【図６】  本発明の平面略図（物品収納例）
【図７】  本発明の斜視図
【図８】  本発明の物品収納状況の斜視図
【図９】  本発明を自転車に取付けて傘を収納した状況の側面図
【符号の説明】
１は荷カゴ
２は支持具
３はフック
４は開口孔
１Ａは側壁
１Ｂは側面
【図１】
2005219723.tif 000004
【図２】
2005219723.tif 000005
【図３】
2005219723.tif 000006
【図４】
2005219723.tif 000007
【図５】
2005219723.tif 000008
【図６】
2005219723.tif 000009
【図７】
2005219723.tif 000010
【図８】
2005219723.tif 000011
【図９】
2005219723.tif 000012
(57)【要約】      （修正有）【課題】晴天時、自動車のハンドル前のダッシュボードの上に敷くことにより、フロントガラスに映ったダッシュボードの影像を消し、ドライバーの視界を確保するマットを提供する。【解決手段】光を極力反射しにくい黒の生地１に、滑りにくく柔らかいマット２を貼り合わせる。マット２は、自動車のダッシュボードの曲面にフィットする厚さにし、ダッシュボード上で滑りにくくするため突起状の加工３を施す。生地１とマット２を貼り合わせ、自動車の運転席ダッシュボードの上に置ける大きさにした物は、ダッシュボードの上に敷くだけでドライバーの安全な視界を確保する。【選択図】図３
2005219722.tif 000002
【特許請求の範囲】
【請求項１】
（イ）光を反射しにくく表面が粗い黒の生地に、滑りにくく柔らかいマットを貼り合わせる。
（ロ）マットは、自動車のダッシュボードの曲面にフィットする厚さにし、ダッシュボード上で滑りにくくさらにフィットしやすくするため突起状の加工を施す。
（ハ）生地とマットを貼り合わせた物を自動車の運転席ダッシュボードの上に置ける大きさで、運転の際、最低限必要な視界を確保できる大きさにする。
以上の如く製作されたマットは、晴天時、自動車のフロントガラスに反射したダッシュボードの影像から、ドライバーの視界を確保するための防眩マットである。
【発明の詳細な説明】
【技術分野】
【０００１】  この発明は、自動車のハンドル前のダッシュボードの上に敷くことにより、晴天時フロントガラスに映ったダッシュボードの影像を消し、ドライバーの視界を確保するためものである。
【背景技術】
【０００２】  従来ダッシュボードには、晴天時フロントガラスに影像を反射しにくい処理はされているが、デザイン、太陽光による熱、素材、意匠等の制約から無反射にはなっていない。このため運転中の太陽の位置によっては、フロントガラスに映ったダッシュボードの影像により視界不良を引き起こしている。
【発明の開示】
【発明が解決しようとする課題】
【０００３】  この視界不良は、ダッシュボードの表面処理を無反射に近い処理にしなければ解決できない。この無反射の処理を施すことは、車のデザイン、意匠等に制約を与え、また光を吸収しやすいことにより、晴天時は車内の高温化にもなってしまう。
本発明はこの一時的な視界不良の際、ダッシュボードの上に敷くことにより運転に支障を来さないよう、視界を確保させるためのものである。
【課題を解決するための手段】
【０００４】  光を反射しにくく表面の粗い黒の生地（１）に、滑りにくく柔らかいマット（２）を貼り合わせる。このマット（２）は、自動車のダッシュボードの曲面にフィットする厚さにし、ダッシュボード上で滑りにくく、さらにフィットしやすくするため突起状の加工（３）を施しておく。
生地（１）とマット（２）を貼り合わせた物を自動車の運転席ダッシュボードの上に置ける大きさで、運転の際、最低限必要な視界を確保できる大きさにする。
本発明は、以上のような構成よりなる自動車用防眩マットである。
【発明の効果】
【０００５】  運転中、ダッシュボードの影像がフロントガラスに反射し視界不良になったとき、この防眩マットをダッシュボードの上に敷くことにより、安全運転に必要な視界を確保することができる。
【発明を実施するための最良の形態】
【０００６】  以下、本発明の実施例について説明する。
（イ）光を反射しにくく表面の粗い黒の生地（１）に、滑りにくく柔らかいマット（２）を貼り合わせる。
（ロ）マット（２）は、自動車のダッシュボードの曲面にフィットする厚さにし、ダッシュボード上で滑りにくく、さらにフィットしやすくするため突起状の加工（３）を施しておく。
（ハ）生地（１）とマット（２）を貼り合わせた物を自動車の運転席ダッシュボードの上に置ける大きさで、運転の際、最低限必要な視界を確保できる大きさにする。
（ニ）普通車、軽自動車、ワンボックス、大型車等のダッシュボードの形状に合わせ、車種別に製作する。
本発明は運転中太陽光により、ダッシュボードの影像がフロントガラスに映り視界が悪くなった時、このマットをダッシュボードの上に敷くことにより、マットの大きさの部分の視界が確保され安全な運転を可能にする。
【図面の簡単な説明】
【０００７】
【図１】      本発明の斜視図である。
【図２】      本発明の分解図である。
【図３】      図１のａ線の断面図である。
【図４】      本発明の使用中の斜視図である。
【符号の説明】
【０００８】      １  黒の生地
２  マット
３  突起状の加工
【図１】
2005219722.tif 000003
【図２】
2005219722.tif 000004
【図３】
2005219722.tif 000005
【図４】
2005219722.tif 000006
(57)【要約】【課題】紙のラベルが細分化されにくく、また、ペットボトルに施されているような紙以外のラベルも除去できる、使用済み容器用ラベル除去用具を提供することを課題とする。【解決手段】主体部１の一方側部に指保護部材２が設けられており、ラベル切断部材３は、指保護部材２で覆われる形で取り付けられている。主体部１の先端部４は反っており、他方の端部５には、穴７が開いた取っ手６が取り付けられている。使用済み容器と、ラベルとの間に挿入する主体部に取り付けられた指保護部材により、主体部を指で強く押しても、指を痛めることなく作業できる。また、主体部の先端が反っていることにより、ペットボトルに見られるような容器の凹凸に引っかかることなく、容易に容器とラベルの間に挿入することができる。刃を施したラベル切断部材により、ペットボトルに装着されているような紙以外のラベルをラベルのミシン目に関係なく切断し、取り除くことができる。【選択図】図１
2005219747.tif 000002
【特許請求の範囲】
【請求項１】
使用済み容器用ラベル除去用具であって、前記使用済み容器と前記容器に装着されている前記ラベルとの間に挿入する主体部と、前記主体部の長手方向に沿う一方側部に取り付けた指保護部材と、前記主体部の一方端部に取り付けた取っ手と、を具備する、使用済み容器用ラベル除去用具。
【請求項２】
前記主体部は、前記指保護部材側に、ラベル切断部材を具備することを特徴とする請求項１記載の使用済み容器用ラベル除去用具。
【発明の詳細な説明】
【技術分野】
【０００１】
この発明は、使用済み容器より、容器に装着されているラベルを取り除くために用いるラベル除去用具に関する。
【背景技術】
【０００２】
従来の使用済み容器のラベル除去は、そのラベルが紙である場合、金属製のタワシで容器を強く擦るものである。
【発明の開示】
【発明が解決しようとする課題】
【０００３】
しかしながら、以上の技術によれば、金属製のタワシで擦ることにより、容器から剥がされた紙のラベルは細分化され、処分時に扱いにくく、また、排水と共に流出してしまうこともあった。また、タワシでは紙以外のラベルは除去できなかった。
そこで、この発明は、使用済み容器に貼られた紙のラベルが細分化されにくく、また、例えばペットボトルに施されているような紙以外のラベルも除去できる、使用済み容器用ラベル除去用具を提供することを課題とする。
【課題を解決するための手段】
【０００４】
以上の課題を解決するために、第一発明は、使用済み容器と前記容器に装着されたラベルとの間に挿入する主体部と、前記主体部の長手方向に沿う一方側部に取り付けた指保護部材と、前記主体部の一方端部に取り付けた取っ手と、を具備する、使用済み容器用ラベル除去用具である。
また、第二発明は、前記主体部の、前記指保護部材側に、ラベル切断部材を具備することを特徴とする使用済み容器用ラベル除去用具である。
【発明の効果】
【０００５】
第一発明によれば、使用済み容器に施されたラベルが紙である場合は、容器をしばらく水に浸した後、主体部の一方側部を容器に貼られたラベルの端部にあて、指保護部材に置いた指で主体部を押し、容器とラベルとの間に挿入させることで、皮を剥くようにラベルを容器より剥離させることができ、ラベルの細分化を抑制することができる。また、使用済み容器に施されたラベルが、例えばペットボトルに施されているような紙以外ある場合は、主体部の先端を容器に装着されたラベルのミシン目部分端部にあて、容器とラベルとの間に挿入することで、ラベルをミシン目部分で切断し、容器より取り除くことができる。
また、第二発明によれば、主体部の指保護部材側に取り付けたラベル切断部材により、紙以外のラベルをより容易に切断し、容器より取り除くことができる。
【発明を実施するための最良の形態】
【０００６】
この発明の一実施形態を、図１に示す。
ステンレス製若しくは樹脂製の主体部１の一方側部に指保護部材２が設けられており、ラベル切断部材３は、指保護部材２で覆われる形で取り付けられている。主体部１の一方の先端部４は、ラベル切断部材３の取り付け側に、反っており、他方の端部５には取っ手６が取り付けられている。取っ手６の端部には、穴７が開いている。
【０００７】
「実施形態の効果」
この実施形態によれば、使用済み容器と、容器に装着されているラベルとの間に挿入する主体部に指保護部材が取り付けられている。したがって、ラベル除去の作業中に主体部を指で強く押しても、指を痛めることなくラベルを除去できる。また、刃を施したラベル切断部材により、例えばペットボトルに装着されているような、紙以外のラベルをラベルのミシン目に関係なく切断し、容器より取り除くことができる。主体部の先端が反っていることにより、例えば、ペットボトルにあるような凹凸に引っかかることなく、容易に容器とラベルの間に挿入し、ラベルを除去することができる。
【０００８】
「他の実施形態」
図１の実施形態では、ラベル切断部材に刃を施し、指保護部材は平らであったが、図２の実施形態では、ラベル切断部材は、刃を施さないものとし、指保護部材と取っ手に、指の形に合った凹凸を施したものでも良い。
【図面の簡単な説明】
【０００９】
【図１】この発明の一実施形態を示す斜視図である。
【図２】この発明の他の実施形態を示す斜視図である。
【図３】従来技術を示す斜視図である。
【符号の説明】
【００１０】
１  主体部                    ２  指保護部材
３  ラベル切断部材            ４  主体部一方先端部
５  主体部他方端部            ６  取っ手
７  穴           
【図１】
2005219747.tif 000003
【図２】
2005219747.tif 000004
【図３】
2005219747.tif 000005
(57)【要約】      （修正有）【課題】ソケットやエキステンションバーなどに駆動力を確実に伝達することのできるソケットレンチ用ハンドルを提供する。【解決手段】両端に抜け止め防止用の鋼球４を取付けた棒杆体で成るハンドル主体１にアダプター２を、該アダプター２に設けた組付け孔３に前記ハンドル主体１を貫通させるようにして摺嵌して構成する。そして、ハンドル主体１の断面形と前記組付け孔３の孔形を互いに一致する楕円形にする。【選択図】図１
2005219157.tif 000002
【特許請求の範囲】
【請求項１】
両端に抜け止め防止用の鋼球を取付けた棒杆体で成るハンドル主体にアダプターを、該アダプターに設けた組付け孔に前記ハンドル主体を貫通させるようにして摺嵌して成り、前記ハンドル主体の断面形と前記組付け孔の孔形を互いに一致する楕円形にした、ソケットレンチ用ハンドル。
【請求項２】
ばね付勢によって組付け孔内に突出する係止球をアダプターに収設し、該係止球が係離する受止穴をハンドル主体の長手方向の中央に設けた、請求項１記載のソケットレンチ用ハンドル。
【発明の詳細な説明】
【技術分野】
【０００１】
本発明は、概し、ソケットを駆動するために、棒杆体で成るハンドル主体にアダプター（ヘッド）を取付けた（ソケットと共にソケットレンチを構成する）ソケットレンチ用ハンドルに関するものである。
【背景技術】
【０００２】
両端に抜け止め用の鋼球を取付けた棒杆体でハンドル主体にアダプター（ヘッド）を、該アダプターに設けた組付け孔（貫通孔）に前記ハンドル主体を貫通させて摺嵌し、アダプターに備えた挿入体にソケットやエキステンションバーを組合わせるようにした構造のものがある（例えば、特許文献１）。
【０００３】
【特許文献１】実開平６−９８７６号公報
【発明の開示】
【発明が解決しようとする課題】
【０００４】
前記従来例は、ハンドル主体を構成する棒杆体を断面円形で構成し、従って、該ハンドル主体を嵌合した、アダプター側の組付け孔の孔形も円形であるため、ソケット（ナットやボルト頭部を嵌合した）の駆動に際し、アダプター側に対してハンドル主体が、傾斜状態時など少しのことで回動してハンドル主体側から付与する駆動力がアダプターを介してソケット側に伝達されない場合がある。
【０００５】
本発明は、このようなハンドル主体とアダプターとの嵌合関係によって生じる駆動力の低減を可及的に防いだ、アダプター付のソケットレンチ用ハンドルを提供すべく創案したものである。
【課題を解決するための手段】
【０００６】
両端に抜け止め防止用の鋼球を取付けた棒杆体で成るハンドル主体にアダプターを、該アダプターに設けた組付け孔に前記ハンドル主体を貫通させるようにして摺嵌して成り、前記ハンドル主体の断面形と前記組付け孔の孔形を互いに一致する楕円形にした構成とするのである。
【０００７】
なお、ここでいう楕円形は、所謂、２支点からの距離の一定な点の軌跡を厳密に意味するものでないことは勿論である。
【０００８】
また、ばね付勢によって組付け孔内に突出する係止球をアダプターに収設し、該係止球が係離する受止穴をハンドル主体の長手方向の中央に設けた構成を前記手段に付加することにより、両手で操作し、駆動力をソケットに確実に付与することのできる所謂Ｔ字形ハンドルを得ることができる。
【発明の効果】
【０００９】
本発明によれば、ハンドル主体を中心にしてアダプターがハンドル主体周側面に沿って回動することがないからハンドル主体からアダプターに付与する回動力が駆動力となってソケットに伝達され、駆動操作（ナットなどの締め付け操作や緩め操作など）を効率的に行えるソケットレンチ用ハンドルを提供することができる。
【実施例】
【００１０】
図面は本発明に係るソケットレンチ用ハンドルの一実施例を示し、図１は一部欠截正面図、図２はハンドル主体を断面で示した図１の側面図である。
【００１１】
実施例のソケットレンチ用ハンドルは、ハンドル主体１とアダプター（ヘッド）２を互いに組付けてなるもので、ハンドル主体１は断面楕円形状の、金属製の、直棒状の棒杆体で構成し、このハンドル主体１を、該ハンドル主体１の断面形と一致する孔形の組付け孔３を設けた前記アダプター２の組付け孔３に嵌挿してソケットレンチ用ハンドルＡと成し、ハンドルＡのハンドル主体１の両端の上縁には該ハンドル主体１に沿って移動させたときの、アダプター２の主体１からの抜け止めを防ぐ鋼球４を取付け（上縁に取付けることにより該鋼球４とアダプター２との位置関係を視認できる）、中央には係止球（鋼製球で成る）５が係離する受止穴６を設けてある。
【００１２】
係止球５は、アダプター２の前記組付け孔３の内周面に設けた収納穴７にコイルばね８を介して収容したもので、コイルばね８によって組付孔３の内周面より（すなわち、組付孔３内に）突出する方向に付勢され、組付け孔３を通して嵌合したハンドル主体１の周側に常時圧接するようにアダプター２内に収設したものである。
【００１３】
なお、アダプター２は、ソケット９に嵌合組付ける挿入体１０を備え、該挿入体１０にはばねによって突出方向に付勢させた係止球１１を備え、この係止球１１が前記ソケット９（或いはエキステンションバー）に備えた角穴１２の壁面に圧接してアダプター２とソケット９との組付けが確実に行われる。
【００１４】
しかして、ナットなどを緊締したり、緩めたりする時に、殊に強いトルクを必要とするとき、アダプター２をハンドル主体１の一端側に移動させて当該ナットなどにアダプター２を組合わせ、ハンドル主体１によるアダプター２に対する駆動力を付与すると、強いトルクを得られてナットなどの緊締或いは緩め操作を行うことができる。
【００１５】
そして、これらの作業中、ハンドル主体１を中心とするアダプター２の回動が生じることがないので該作業を円滑に行うことができるのである。
【００１６】
なお、アダプター２をハンドル主体１の中央位置に配すると、アダプター２に収設した係止球５がハンドル主体１側の受止穴６に係止していわばＴ字形ハンドルとなってナット等の駆動作業を行うことができ、このときアダプター２にエキステンションバーを接続することによってＴ字形ハンドル状態に尚一層近似させることができる。
【００１７】
実施例のハンドル主体１は、該ハンドル主体１の断面楕円形の最広径部（長軸）を水平方向に沿わせて配してあるが（図１の２点鎖線や図２の断面形で明らか）、これは、アダプター２側に配した係止球５が係止（合）する受止穴６を棒杆状の該ハンドル主体１の周側面（下端部）に不都合なく形成するため（係止球５をコイルばね８と共に収容する収納穴７を形成する主体１の周側面が平面に近いほど形成し易く、つまり、急な円曲面より緩やかな円曲面の方が形成し易く、収納穴７の開口縁を比較的下方に位置させることができる）と、トルク（駆動力）を付与しても、少くとも短軸側より折り曲がりにくく耐久性を期待できるためである。
【図面の簡単な説明】
【００１８】
【図１】一部欠截正面図。
【図２】ハンドル主体を断面で示した図１の側面図。
【符号の説明】
【００１９】
１      ハンドル主体
２      アダプター
３      組付け孔
【図１】
2005219157.tif 000003
【図２】
2005219157.tif 000004
(57)【要約】【課題】  ２つのバンド片の先端部を、何れを上下にしても打合せて接着し、片手の不自由な人でも、容易に足の胛や足首等を締め付けることのできるバンド付履物を提供する。【解決手段】  底板の左右の縁に取付けた左右のバンド片を打合せ接着して締め付ける履物に置いて、左右のバンド片３、４の双方の上面に雌雄何れかの面接着素材の面８を設け、バンド片３、４の双方の下面に、上面の面８の面接着素材の雌雄と反対の雌雄の面接着素材の面９を設け、左右のバンド片３、４のいずれを上下にしても打合せ接着することを可能とする。双方のバンド片３、４の上面の面接着素材を雄とし、下面の面接着素材を雌とするのが好ましい。履物は、サンダル、靴、草履、下駄のいずれでもよい。【選択図】    図１
2005058453.tif 000002
【特許請求の範囲】
【請求項１】
底板の左右の縁に取付けたバンド片を打ち合わせ接着して締めつける履物において、左右のバンド片の双方の上面に雌雄いずれかの面接着素材を取付け、双方の下面に、上面の面接着素材の雌雄と反対の雌雄の面接着素材を取付け、前記左右のバンド片のいずれを上下にしても打ち合わせ接着を可能とするバンド付履物
【請求項２】
双方のバンド片の上面の面接着素材を雄とし、下面の面接着素材を雌とすることを特徴とする請求項１に記載のバンド付履物。
【発明の詳細な説明】
【技術分野】
【０００１】
この発明は、２つに分割したバンドを打ち合わせて胛や足首等足を締めつけて着用するバンド付履物に関するものである。
【背景技術】
【０００２】
従来のバンド付サンダルは、図３に示すように、底板１に取り付けたバンドがバンド片３と４とよりなり、一方のバンド片３の先端部の下面に雌雄いずれかの面接着素材５を設け、他方のバンド片４の先端部の上面に、面接着材５の雌雄とは反対の面接着素材６を設け、サンダル着用時にバンド片４の先端の面接着素材６の上にバンド片３の面接着素材５を当接接着させて、バンド片３と４を打ち合わせて足を締めつけている（特許文献１参照）。
図中２は上敷である。
【特許文献１】実用新案登録第３０９４９７２号公報（図面）
【発明の開示】
【発明が解決しようとする課題】
【０００３】
従来のサンダルでは、バンド片３と４との打ち合わせは、必ずバンド片４の上にバンド片３を重ねなければならず、いずれか一方の手では打ち合わせやすく、他方の手では打ち合わせにくい。サンダルでは左右の底板に取り付けたバンド片の打ち合わせが対称になっているので、右ききまたは左ききのいずれか一方の強い人は、きき手の反対の手で重ねたり外したりするのが不自由で、そのきき手が怪我をしたり、不自由である場合には、何れか一方の底板のバンド片の打ち合わせがしにくく、大変不便である。
この発明は、２つのバンド片の先端部をいずれを上下にしても打ち合わせ接着できるバンド付履物を提供することを目的とする。
【課題を解決するための手段】
【０００４】
底板の左右の縁に取付けたバンド片を打ち合わせ接着して締めつける履物において、左右のバンド片の双方の上面に雌雄いずれかの面接着素材を取付け、双方の下面に、上面の面接着素材の雌雄と反対の雌雄の面接着素材を取付け、前記左右のバンド片のいずれを上下にしても打ち合わせ接着を可能とする。
双方のバンド片の上面の面接着素材を雄とし、下面の面接着素材を雌とすることを特徴とするのが好ましい。
【発明の効果】
【０００５】
この発明に係るバンド付履物は、２つのバンド片の先端部をいずれを上下にしても打ち合わせ接着できるので、きき手の不自由な人でも、他方の手で容易に２つのバンド片の先端部を打ち合わせ接着し足を締めつけできるバンド付履物を提供することを目的とする。
【発明を実施するための最良の形態】
【０００６】
この発明に係るバンド付サンダル７は、従来のサンダルと同様に、底板１の上に上敷２を設け、２つのバンド片３と４とを取付けている。
バンド片３と４の先端部には、双方ともその上面に、雌雄いずれかの面接着素材の面８を設け、双方ともその下面に、上面の面接着素材の雌雄とは反対の雌雄の面接着素材の面９を設ける。
【０００７】
下面の面接着素材の面９は着用時に足に当接するので、柔らかい感触の雌の面接着素材を用い、従って、上面の面接着素材の面８の面接着素材は雄の面接着素材を用いるのが好ましい。
【０００８】
サンダル７の代わりに、靴も下駄、草履にも分割のバンド片３と４を取付け、それらの先端部に、双方ともその上面に、雌雄いずれかの面接着素材の面８を設け、双方ともその下面に、上面の面接着素材の雌雄とは反対の雌雄の面接着素材の面９を設けてもよい。
【０００９】
この発明に係る履物は、２つのバンド片３と４の上面には、同一の雌雄の面接着素材の面８があり、双方の下面には、面８とは反対の雌雄の面接着素材の面９があるので、バンド片３と４のいずれを上にして打ち合わせても、両者は接着するので、きき手の如何を問わず、また、きき手の不自由な人でも不自由でない方の手で、バンド片３と４のいずれか一方の上に他方を重ねて接着締めつけすることができる。
【図面の簡単な説明】
【００１０】
【図１】この発明に係るバンド付サンダルの斜視図である。
【図２】この発明に係るバンド付サンダルのバンド片の打ち合わせ説明図である。
【図３】（Ａ）は、従来のバンド付サンダルの斜視図、（Ｂ）は、従来のバンド付サンダルのバンド片の打ち合わせ説明図である。
【符号の説明】
【００１１】
１  底板
２  上敷
３  バンド片
４  バンド片
５  面接着素材
６  面接着素材
７  バンド付サンダル
８  面接着素材の面
９  面接着素材の面
【図１】
2005058453.tif 000003
【図２】
2005058453.tif 000004
【図３】
2005058453.tif 000005
(57)【要約】【課題】  爪先や付け爪に穴を開け、本物のジュエリーや揺れるアクセサリーを装着できるようにするとともに、多種類の穴を開けれるコンパクトタイプにする。【解決手段】てこの原理を利用した本体１に、取り替え可能なスライド式の穴開け金具２をつける。【選択図】  図１
2005058452.tif 000002
【特許請求の範囲】
【請求項１】
てこの原理を利用した本体に、穴開け用の金具を取り付けることにより、爪先や付け爪に穴を開けることを可能にした器具。
【請求項２】
本体先端上下にある穴開け用の金具はスライド式なので、開けたい形の多種類の金具に取り替え可能なコンパクトタイプ
【発明の詳細な説明】
【技術分野】
【０００１】
本発明は、てこの原理を利用した本体に、穴開け用の金具を取り付けることにより、爪先や付け爪に穴を開けることを可能にしたものであり、その穴の部分にピアスの状態あるいはペンダントトップの状態のジュエリーを装着できるようになった。また、本発明は穴開け用の金具をスライド式にしたので、本体ひとつで多種類の形のカットができるコンパクトタイプになっている。
【発明の開示】
【発明が解決しようとする課題】
【０００２】
従来、爪や付け爪に対してのアクセサリーはイミテーションのストーンなどをネイルエナメルなので固定するだけのものであり、本物のジュエリーや揺れるタイプのアクセサリーを爪先や付け爪に装着することは不可能であった。だが爪先や付け爪に穴を開けることができれば、その穴にピアスの状態やペンダントトップの状態のジュエリーを装着することが可能になる。
【課題を解決するための手段】
【０００３】
てこの原理を利用した本体に、穴開け用の金具を取り付けることにより、片手で簡単に、爪先や付け爪に穴を開けることができる。また、本体先端上下にある穴開け用の金具は、スライド式なので、開けたい形の金具に取り替えが可能なコンパクトタイプである。
【発明の効果】
【０００４】
このようにすれば斬新な感覚で爪先のジュエリ−を楽しむことができる。また金属アレルギ−の疾患により金具の付いたジュエリ−を肌に装着できない人も金属が直接肌にふれない爪先で楽しむことが可能になる。
【発明を実施するための最良の形態】
【０００５】
本発明は、爪先や付け爪にジュエリーの装着を可能にし、かつ穴開け用の金具はスライド式なので、本体ひとつで多種類の形のカットが可能になった。それを図面について説明すればてこの原理を利用した本体１の先端上下に開けたい形にカットしたスライド式の穴開け用金具２を取り付け、開けたい部分に穴を開ける。その穴にペンダントトップ状態のジュエリー4を装着した状態が図３である。
【図面の簡単な説明】
【０００６】
【図１】本体と先端部分を示した全体図である。
【図２】スライド式の穴開け用金具（カットが丸型の場合）を示した断面図である。
【図３】ジュエリー装着状態を示した図である。
【符号の説明】
【０００７】
１  本体
２  スライド式の穴開け用金具
３  鋭利な先端部分
４  ペンダントトップ状態のジュエリー
５  爪あるいは付け爪
【図１】
2005058452.tif 000003
【図２】
2005058452.tif 000004
【図３】
2005058452.tif 000005